(57)【要約】    【構成】  アナログ受信機１２および１４によって受信された第１番組のデータおよび第２番組のデータは、ミキサ２２によって視覚的にいって左側の番組または右側の番組となるように複合され、複合されたデータは１つの複合コンテンツとしてハードディスク５０に記録される。複合コンテンツに含まれる２つの番組は、左側か右側かという位置情報によって管理される。たとえば、第１番組のデータを再生する操作をすると複合コンテンツが再生され、位置情報に基づいて再生コンテンツから第１番組に相当する映像信号が抽出される。抽出された映像信号はモニタに映像として表示されるとともに、ハードディスク５０に単一コンテンツとして記録される。    【効果】  複合コンテンツに含まれる番組データを単一コンテンツ化し、一般的なコンテンツ再生装置で再生することができる。【選択図】  図１
2005033576.tif 000002
【特許請求の範囲】
【請求項１】
複合コンテンツを形成する複数のコンテンツの中から所望のコンテンツが選択されたとき前記複合コンテンツを管理情報に基づいて記録媒体から再生する第１再生手段、
前記第１再生手段によって再生された複合コンテンツから前記所望のコンテンツを抽出する抽出手段、
前記抽出手段によって抽出された前記所望のコンテンツを単一コンテンツとして前記記録媒体に記録する記録手段、および
前記記録手段による記録が完了したとき前記管理情報の一部を更新する更新手段を備える、コンテンツ記録再生装置。
【請求項２】
前記単一コンテンツが選択されたとき前記更新手段によって更新された管理情報に基づいて前記単一コンテンツを前記記録媒体から再生する第２再生手段をさらに備える、請求項１記載のコンテンツ記録再生装置。
【請求項３】
前記管理情報は管理すべきコンテンツの記録位置を示す位置情報を含み、
前記更新手段は前記所望のコンテンツを管理する管理情報に含まれる位置情報を更新する位置情報更新手段を含む、請求項１または２記載のコンテンツ記録再生装置。
【請求項４】
前記管理情報は管理すべきコンテンツが前記複合コンテンツの一部であるか前記単一コンテンツであるかを識別する識別情報を含み、
前記更新手段は前記所望のコンテンツを管理する管理情報に含まれる識別情報を更新する識別情報更新手段を含み、
前記識別情報に基づいて前記記録媒体に記録されたコンテンツの記録態様を案内する案内手段をさらに備える、請求項１ないし３のいずれかに記載のコンテンツ記録再生装置。
【請求項５】
前記コンテンツは映像コンテンツを含み、
前記管理情報は所望の映像コンテンツの映像が前記複合コンテンツの映像のどの部分であるかを示す映像位置情報を含み、
前記抽出手段は、前記映像位置情報に基づいて前記複合コンテンツから所望の映像コンテンツを抽出する映像抽出手段、および前記映像抽出手段によって抽出された所望の映像コンテンツの映像のサイズを調整するサイズ調整手段をふくむ、請求項１ないし４のいずれかに記載のコンテンツ記録再生装置。
【請求項６】
前記映像抽出手段によって抽出された前記所望の映像コンテンツをモニタに出力する映像出力手段をさらに備える、請求項５記載のコンテンツ記録再生装置。
【請求項７】
前記コンテンツはモノラル音声コンテンツを含み、
前記抽出手段は、所望のコンテンツに対応するモノラル音声コンテンツを複合コンテンツから抽出する音声抽出手段、前記音声抽出手段によって抽出されたモノラル音声コンテンツを前記所望のコンテンツのＬチャネル音声もしくはＲチャネル音声のどちらか一方に割り当てる割当手段、および前記音声抽出手段によって抽出されたモノラル音声コンテンツを用いて前記所望のコンテンツのＬチャネル音声もしくはＲチャネル音声の他方を補完する補完手段をさらに備える、請求項１ないし６のいずれかに記載のコンテンツ記録再生装置。
【請求項８】
前記所望のコンテンツのＬチャネル音声およびＲチャネル音声をスピーカに出力する音声出力手段をさらに備える、請求項７記載のコンテンツ記録再生装置。
【請求項９】
コンテンツ記録再生装置によって実行される記録再生プログラムであって、
(a)複合コンテンツを形成する複数のコンテンツの中から所望のコンテンツが選択されたとき前記複合コンテンツを管理情報に基づいて記録媒体から再生する再生ステップ、
(b)前記再生ステップによって再生された複合コンテンツから前記所望のコンテンツを抽出する抽出ステップ、
(c)前記抽出ステップによって抽出された前記所望のコンテンツを単一コンテンツとして前記記憶媒体に記録する記録ステップ、および
(d)前記記録ステップによる記録が完了したとき前記管理情報の一部を更新する更新ステップを備える、記録再生プログラム。
【発明の詳細な説明】
【技術分野】
【０００１】
この発明は、コンテンツ記録再生装置に関し、特にたとえば、単一コンテンツおよび複数のコンテンツが複合された複合コンテンツの記録および再生を行う、コンテンツ記録再生装置に関する。
【背景技術】
【０００２】
従来のコンテンツ記録再生装置の一例が、特許文献１に開示されている。特許文献１のコンテンツ記録再生装置は、同時に入力される複数の映像信号および音声信号を１つの複合コンテンツとして磁気テープに記録するものである。
【特許文献１】特開平９−７０００４号公報［Ｈ０４Ｎ  ５／７８２６］
【発明の開示】
【発明が解決しようとする課題】
【０００３】
複合コンテンツに含まれる映像信号および音声信号を他の一般的なコンテンツ再生装置で再生できるように複合コンテンツから抽出して単一コンテンツにしたいという要望がある。しかし、特許文献１の従来技術では、記録媒体が磁気テープであるため、コンテンツを再生しながら同時に再生しているコンテンツを磁気テープに記録することができない。それゆえに、複合コンテンツから１つのコンテンツを抽出し、抽出したそのコンテンツを同一の磁気テープに単一コンテンツとして記録することができないという問題があった。
【０００４】
それゆえに、この発明の主たる目的は、複合コンテンツに含まれるコンテンツを容易に単一コンテンツとし、一般的なコンテンツ再生装置で再生可能にできる、コンテンツ記録再生装置を提供することである。
【課題を解決するための手段】
【０００５】
請求項１の発明は、複合コンテンツを形成する複数のコンテンツの中から所望のコンテンツが選択されたとき複合コンテンツを管理情報に基づいて記録媒体から再生する第１再生手段、第１再生手段によって再生された複合コンテンツから所望のコンテンツを抽出する抽出手段、抽出手段によって抽出された所望のコンテンツを単一コンテンツとして記録媒体に記録する記録手段、および記録手段による記録が完了したとき管理情報の一部を更新する更新手段を備える、コンテンツ記録再生装置である。
【０００６】
請求項１の発明では、第１再生手段は複合コンテンツを形成する複数のコンテンツの中から所望のコンテンツが選択されると管理情報に基づいて複合コンテンツを記録媒体から再生する。抽出手段は第１再生手段によって再生された複合コンテンツから所望のコンテンツを抽出する。記録手段は抽出手段によって抽出された所望のコンテンツを単一コンテンツとして記録媒体に記録する。そして、更新手段は記録手段による記録が完了したときに記録手段によって記録された単一コンテンツを管理する管理情報の一部を更新する。したがって、請求項１の発明によれば、複合コンテンツを形成するコンテンツを単一コンテンツにすることができる。
【０００７】
請求項２の発明は、単一コンテンツが選択されたとき更新手段によって更新された管理情報に基づいて単一コンテンツを記録媒体から再生する第２再生手段をさらに備える、請求項１記載のコンテンツ記録再生装置である。
【０００８】
請求項２の発明では、第２再生手段は単一コンテンツが選択されたとき更新手段によって更新された管理情報に基づいて単一コンテンツを記録媒体から再生する。したがって、請求項２の発明によれば、複合コンテンツから単一コンテンツに変更されたコンテンツを再生することができる。
【０００９】
請求項３の発明は、管理情報は管理すべきコンテンツの記録位置を示す位置情報を含み、更新手段は所望のコンテンツを管理する管理情報に含まれる位置情報を更新する位置情報更新手段を含む、請求項１または２記載のコンテンツ記録再生装置である。
【００１０】
請求項３の発明では、管理情報には管理すべきコンテンツの記録媒体上のどこから記録されているかを示す記録位置を含んでおり、位置情報更新手段は、複合コンテンツを形成するコンテンツが単一コンテンツに変更されるとそのコンテンツの管理情報に含まれる記録位置を複合コンテンツの記録位置から単一コンテンツの記録位置へと更新する。請求項３の発明によれば、複合コンテンツを形成したり単一コンテンツに変更されたりするコンテンツの記録媒体上の記録開始位置を容易に管理することができる。
【００１１】
請求項４の発明は、管理情報は管理すべきコンテンツが複合コンテンツの一部であるか単一コンテンツであるかを識別する識別情報を含み、更新手段は所望のコンテンツを管理する管理情報に含まれる識別情報を更新する識別情報更新手段を含み、識別情報に基づいて記録媒体に記録されたコンテンツの記録態様を案内する案内手段をさらに備える、請求項１ないし３のいずれかに記載のコンテンツ記録再生装置である。
【００１２】
請求項４の発明では、管理情報には管理すべきコンテンツが複合コンテンツの一部であるか単一コンテンツであるかを識別する識別情報を含んでおり、識別情報更新手段は、複合コンテンツを形成するコンテンツが単一コンテンツに変更されるとそのコンテンツの管理情報に含まれる識別情報をコンテンツが複合コンテンツの位置部であることを示す情報から単一コンテンツであることを示す情報へと更新する。請求項４の発明によれば、複合コンテンツを形成したり単一コンテンツに変更されたりするコンテンツが複合コンテンツの一部であるか単一コンテンツであるかを容易に識別することができる。
【００１３】
請求項５の発明は、コンテンツは映像コンテンツを含み、管理情報は所望の映像コンテンツの映像が複合コンテンツの映像のどの部分であるかを示す映像位置情報を含み、抽出手段は、映像位置情報に基づいて複合コンテンツから所望の映像コンテンツを抽出する映像抽出手段、および映像抽出手段によって抽出された所望の映像コンテンツの映像のサイズを調整するサイズ調整手段をふくむ、請求項１ないし４のいずれかに記載のコンテンツ記録再生装置である。
【００１４】
請求項５の発明では、コンテンツには映像が含まれ、映像抽出手段は複合コンテンツに含まれる複数の映像の中から所望のコンテンツの映像部分を抽出し、サイズ調整手段は映像抽出手段によって抽出された所望のコンテンツの映像部分を本来のサイズに調整する。請求項５の発明によれば、コンテンツとして映像を扱うことができる。
【００１５】
請求項６の発明は、映像抽出手段によって抽出された所望の映像コンテンツをモニタに出力する映像出力手段をさらに備える、請求項５記載のコンテンツ記録再生装置である。
【００１６】
請求項６の発明では、映像出力手段は映像抽出手段によって抽出された所望の映像コンテンツをモニタに出力する。請求項６の発明によれば、映像コンテンツを見ながら複合コンテンツの一部であるコンテンツを単一コンテンツに変更することができる。
【００１７】
請求項７の発明は、コンテンツはモノラル音声コンテンツを含み、抽出手段は、所望のコンテンツに対応するモノラル音声コンテンツを複合コンテンツから抽出する音声抽出手段、音声抽出手段によって抽出されたモノラル音声コンテンツを所望のコンテンツのＬチャネル音声もしくはＲチャネル音声のどちらか一方に割り当てる割当手段、および音声抽出手段によって抽出されたモノラル音声コンテンツを用いて所望のコンテンツのＬチャネル音声もしくはＲチャネル音声の他方を補完する補完手段をさらに備える、請求項１ないし６のいずれかに記載のコンテンツ記録再生装置である。
【００１８】
請求項７の発明では、コンテンツには音声が含まれる。音声抽出手段は複合コンテンツから所望のコンテンツに対応するモノラル音声コンテンツを抽出し、割当手段は音声抽出手段によって抽出されたモノラル音声を所望のコンテンツのＬチャネル音声もしくはＲチャネル音声のどちらか一方に割り当てる。また、補完手段は音声抽出手段によって抽出されたモノラル音声コンテンツを用いて所望のコンテンツの他方のＬチャネル音声もしくはＲチャネル音声を補完する。つまり、複合コンテンツから抽出されたコンテンツの音声はＬチャネルの音声とＲチャネルの音声とが同じとなる。請求項７の発明によれば、コンテンツとして音声を取り扱うことができる。
【００１９】
請求項８の発明は、所望のコンテンツのＬチャネル音声およびＲチャネル音声をスピーカに出力する音声出力手段をさらに備える、請求項７記載のコンテンツ記録再生装置である。
【００２０】
請求項８の発明では、音声出力手段は所望のコンテンツのＬチャネル音声およびＲチャネル音声をスピーカに出力する。請求項８の発明によれば、音声コンテンツを聴きながら複合コンテンツの一部であるコンテンツを単一コンテンツに変更することができる。
【００２１】
請求項９の発明は、コンテンツ記録再生装置によって実行される記録再生プログラムであって、(a)複合コンテンツを形成する複数のコンテンツの中から所望のコンテンツが選択されたとき複合コンテンツを管理情報に基づいて記録媒体から再生する再生ステップ、(b)再生ステップによって再生された複合コンテンツから所望のコンテンツを抽出する抽出ステップ、(c)抽出ステップによって抽出された所望のコンテンツを単一コンテンツとして記憶媒体に記録する記録ステップ、および(d)記録ステップによる記録が完了したとき管理情報の一部を更新する更新ステップを備える、記録再生プログラムである。
【００２２】
請求項９の発明では、まず、複合コンテンツを形成する複数のコンテンツの中から所望のコンテンツが選択されたとき複合コンテンツを管理情報に基づいて記録媒体から再生する。次に、再生された複合コンテンツから所望のコンテンツを抽出する。そして、抽出された所望のコンテンツを単一コンテンツとして記録媒体に記録する。最後に、単一コンテンツの記録が完了したとき管理情報の一部を更新する。請求項９の発明によれば、複合コンテンツを形成するコンテンツを単一コンテンツにすることができる。
【発明の効果】
【００２３】
この発明によれば、複合コンテンツを再生と同時に記録が可能な記録媒体に記録し、再生した複合コンテンツから所望のコンテンツを抽出して記録媒体に記録する。また、複合コンテンツに含まれる各々のコンテンツは、複合コンテンツであるか単一コンテンツであるかの別を示す識別子や記録媒体における位置などを含む管理情報によって個々に管理されるので、複合コンテンツから所望のコンテンツを抽出して単一コンテンツとする際にコンテンツのデータに操作を加える必要がない。したがって、複合コンテンツに含まれるコンテンツを容易に単一コンテンツとすることができ、単一コンテンツ化されたコンテンツを他の一般的なコンテンツ再生装置で再生することができる。
【００２４】
この発明の上述の目的，その他の目的，特徴および利点は、図面を参照して行う以下の実施例の詳細な説明から一層明らかとなろう。
【発明を実施するための最良の形態】
【００２５】
図１を参照して、この実施例のハードディスクビデオレコーダ１０は、アナログ受信機１２および１４を含む。図示しないアンテナによって捉えられた高周波テレビジョン信号は、アナログ受信機１２および１４に与えられる。
【００２６】
このハードディスクビデオレコーダ１０によれば、アナログ受信機１２および１４によって受信された２つの放送チャンネルの番組を同時に１つのファイルとして記録することができる。そして、１つのファイルに記録された２つの番組の一方を再生するときに、再生しながら同時に記録することによって、再生されている番組のデータを単一の別のファイルにできる。
【００２７】
操作パネル８０によって２番組録画（同時録画）モードと所望の２つの放送チャネルつまり第１放送チャネルおよび第２放送チャネルとが選択されると、ＣＰＵ８４は、アナログ受信機１２に第１放送チャネルの選択を命令し、アナログ受信機１４に第２放送チャネルの選択を命令し、そして２番組記録モードをＭＰＥＧ処理用ＬＳＩ２０に設定する。
【００２８】
アナログ受信機１２からは第１放送チャネルのコンポジットビデオ信号とＬチャネルおよびＲチャネルのオーディオ信号とが出力され、アナログ受信機１４からは第２放送チャネルのコンポジットビデオ信号とＬチャネルおよびＲチャネルのオーディオ信号とが出力される。
【００２９】
ＮＴＳＣデコーダ１６はアナログ受信機１２から出力されたコンポジットビデオ信号をデコードしてビデオデータを生成し、ＮＴＳＣデコーダ１８はアナログ受信機１４から出力されたコンポジットビデオ信号をデコードしてビデオデータを生成する。図２（Ａ）および図２（Ｂ）から分かるように、いずれのビデオデータも、１フィールドの水平画素数および垂直画素数はそれぞれ“７２０”および“２４０”である。
【００３０】
生成された２つの放送チャネルのビデオデータはミキサ２２によって互いに複合され、これによって図２（Ｃ）に示す複合ビデオデータが得られる。複合ビデオデータについても、１フィールドの水平画素数および垂直画素数は“７２０”および“２４０”である。また、複合ビデオデータを形成する各ラインの水平方向前半（画面左側）には第１放送チャネルのビデオ成分が含まれ、各ラインの水平方向後半（画面右側）には第２放送チャネルのビデオ成分が含まれる。したがって、１つの放送チャネルのビデオデータの水平画素は２分の１に間引かれている。セレクタ２４はミキサ２２から出力された複合ビデオデータを選択し、ＭＰＥＧ−Ｖエンコーダ２６はセレクタ２４から出力された複合ビデオデータをビデオＥＳ（ES:Elementary Stream）に変換し、パケット化回路２８は変換されたビデオＥＳをパケット化する。
【００３１】
一方、アナログ受信機１２から出力されたＬチャネルおよびＲチャネルのオーディオ信号はそれぞれ、Ａ／Ｄ変換器３０および３２によってディジタル信号に変換される。また、アナログ受信機１４から出力されたＬチャネルおよびＲチャネルのオーディオ信号はそれぞれ、Ａ／Ｄ変換器３４および３６によってディジタル信号に変換される。セレクタ３８はＡ／Ｄ変換器３０および３４から出力されたＬチャネルのオーディオデータを選択し、ＭＰＥＧ−Ａエンコーダ４０はセレクタ３８から出力されたオーディオデータをオーディオＥＳに変換し、そしてパケット化回路４２はオーディオＥＳをパケット化する。なお、セレクタ３８が選択するのは、Ａ／Ｄ変換器３２および３６から出力されたＲチャネルのオーディオデータであってもよい。
【００３２】
マルチプレクサ４４は、パケット化回路２８および４２からそれぞれ出力されたビデオＰＥＳおよびオーディオＰＥＳを多重してＭＰＥＧ−ＰＳを生成し、生成したＭＰＥＧ−ＰＳをＭＰＥＧバッファ４６を介してＨＤＤ４８に与える。ＭＰＥＧ−ＰＳは、ＨＤＤ４８によってＭＰＥＧファイル形式でハードディスク５０に記録される。こうして、第１放送チャネルの番組と第２放送チャネルの番組とが、１つのＭＰＥＧファイルとして記録される。
【００３３】
操作パネル８０によって通常録画モードと所望の１チャネルつまり第１放送チャネルとが選択されると、ＣＰＵ８４は、アナログ受信機１２および１４のうちアナログ受信機１２に第１放送チャネルの選択を指示し、ＭＰＥＧ処理用ＬＳＩ２０に通常録画モードを設定する。セレクタ２４は、ＮＴＳＣエンコーダ１６から出力されたビデオデータを選択し、セレクタ３８は、Ａ／Ｄ変換器３０から出力されたＬチャネルのオーディオデータとＡ／Ｄ変換器３２から出力されたＲチャネルのオーディオデータとを選択する。この結果、第１放送チャネルの番組が１つのＭＰＥＧファイルに格納された状態でハードディスク５０に記録される。
【００３４】
以上説明したように、ハードディスク５０に記録されるＭＰＥＧファイルには、１チャネルのみのデータからなるファイル（以下、“単一ファイル”と呼ぶ）と２つのチャネルのデータからなるファイル（以下、“複合ファイル”と呼ぶ）が存在する。
【００３５】
ハードディスク５０に記録されるＭＰＥＧファイルは、図３に示すようなデータ構成となっている。図３からわかるように、ＭＰＥＧファイルは、“File Entry”と“実データ（ビデオデータおよびオーディオデータ）”とを含んでいる。File Entryは、実データについての情報が記録された複数の項目を階層的に含んでおり、これらの項目の中に“Implementation Use Area”という項目と“Extent Location”という項目が含まれている。
【００３６】
図４（Ａ）および図４（Ｂ）から分かるように、単一ファイルの場合にはＭＰＥＧファイル１つに対してFile Entryは１つであるが、複合ファイルの場合にはＭＰＥＧファイル１つに対して２つのFile Entry（第１放送チャネルの番組データ用のFile Entry（Ｌ）と第２放送チャネルの番組データ用のFile Entry（Ｒ））が存在する。
【００３７】
Implementation Use Areaの項目は６バイトの長さを持っており、このうちの１バイト目（IUA[０]と表す）を単一ファイルと複合ファイルとを区別するために使用する。単一ファイルの場合には、IUA[０]のすべてのビットが“０”（00000000（00h））であるが、複合ファイルの場合には、IUA[０]の２ビット目を“１”（00000010（02h））とする。また、複合ファイルには左側の映像データ（第１放送チャネルの番組）と右側の画像データ（第２放送チャネルの番組）とがあるので、右側の画像データのFile EntryのIUA[０]の１ビット目に“１”（00000011（03h））を立てることによって左側の画像データと右側の画像データとを区別する。
【００３８】
つまり、図４（Ａ）および図４（Ｂ）に示すように、単一ファイルの場合にはFile EntryのIUA[０]は“00h”であり、複合ファイルの左側の映像データのFile Entry（Ｌ）のIUA[０]は“02h”であり、複合ファイルの右側の映像データのFile Entry（Ｒ）のIUA[０]は“03h”となる。
【００３９】
“Extent Location”の項目は４バイトの長さを持っており、“実データ”のハードディスク５０上の記録開始位置がこの項目に格納される。なお、複合ファイルである場合には、左側の画像データと右側の画像データとの両方のFile EntryのExtent Locationの値は同じ（ハードディスク５０上のデータの開始位置が同じ）となる。
【００４０】
ＣＰＵ８４は、File EntryおよびEPG(Electronic Program Guide)を基に、図６に示すような番組管理テーブルを内部メモリ上に作成してファイルを管理している。図６に示すように、番組管理テーブルには、“番組名”、“単一ファイル（1ch）であるか複合ファイル（2ch）であるかの種別”、複合ファイルである場合に“左側の映像データであるか右側の映像データであるかの種別”および“ディスク内の開始位置”の項目を備えている。この番組管理テーブルは、ＭＰＥＧファイル単位ではなく、File Entry単位で番組のデータを管理する。したがって、図６の番組Ｂおよび番組Ｃからわかるように、複合ファイルの場合、ＭＰＥＧファイルは１つであるが、ファイルに含まれる２つの番組のデータが別々に管理される。つまり、たとえば、番組Ｂは、複合ファイルに左側の画像データとして記録されており、ハードディスク５０上における開始位置は“00002000h”である。同様に番組Ｃは、複合ファイルに右側のデータとして記録されており、ハードディスク５０上における開始位置は番組Ｂと同じで“00002000h”である。番組Ａおよび番組Ｄは単一ファイルである。
【００４１】
ユーザが録画番組を再生する場合には、モニタ６８に、図８に示すようなユーザ用メニューが表示される。このメニューは番組管理テーブルと同様にFile EntryおよびEPGを基に作成される。図８からわかるように、番組Ｂおよび番組Ｃは１つのＭＰＥＧファイル（複合ファイル）として記録されているが、ユーザメニューには複合ファイルであることは表示されていない、したがってユーザが単一ファイルであるか複合ファイルであるかを意識することはない。つまり、ユーザは複合ファイルとして記録されている２つの番組を別々に扱うことができる。
【００４２】
ユーザがユーザ用メニューに基づいて操作パネル８０から操作し、たとえば、複合ファイルに納められている番組Ｂ（記録映画）の再生を指示すると、ＣＰＵ８４は、選択された番組Ｂが納められているＭＰＥＧファイル（複合ファイルであり、番組Ｂと番組Ｃとの２つの番組のデータを含んでいる）をハードディスク５０から特定し、特定したＭＰＥＧファイルの再生をＨＤＤ４８に命令する。ＨＤＤ４８は、所望のＭＰＥＧファイルからＭＰＥＧ−ＰＳを読み出し、読み出されたＭＰＥＧ−ＰＳをＭＰＥＧバッファ５２を通してデマルチプレクサ５４に与える。
【００４３】
デマルチプレクサ５４は、与えられたＭＰＥＧ−ＰＳからビデオＰＥＳパケットおよびオーディオＰＥＳパケットを抽出し、ビデオＰＥＳパケットを非パケット化回路５６に、オーディオＰＥＳパケットを非パケット化回路６０にそれぞれ与える。非パケット化回路５６および６０はそれぞれ、ビデオＰＥＳおよびオーディオＰＥＳをビデオＥＳおよびオーディオＥＳに変換し、変換したビデオＥＳおよびオーディオＥＳをＭＰＥＧ−Ｖデコーダ５８およびＭＰＥＧ−Ａデコーダ６２に与える。
【００４４】
ＭＰＥＧ−Ｖデコーダ５８は、与えられたビデオＥＳをデコードしてビデオデータを生成し、生成したビデオデータをビデオプロセサ６４に与える。ビデオプロセサ６４は、ＣＰＵ８４の指示にしたがって、ＭＰＥＧ−Ｖデコーダ５８から与えられたビデオデータに含まれる左右２つの画像データ（この例では、番組Ｂおよび番組Ｃ）のうちの一方の画像データ（番組Ｂ）を抽出して出力する。
【００４５】
ビデオプロセサ６４は、具体的には図９に示すように構成されている。つまり、ビデオプロセサ６４はＳＥＬ（SELector）９０、データ伸長回路９２およびデータ選択回路９４を含んでいる。ＳＥＬ９０には、ＭＰＥＧ−Ｖデコーダ５８からのビデオデータ（入力Ａ）と、ＭＰＥＧ−Ｖデコーダ５８から出力されデータ選択回路９４およびデータ伸長回路９２を介したビデオデータ（入力Ｂ）とが入力される。データ選択回路９４にはビデオデータの他に、ＣＰＵ８４からＬ／Ｒ選択信号が与えられる。データ選択回路９４は、ＣＰＵ８４から与えられるＬ／Ｒ選択信号にしたがって、ビデオデータに含まれる左側（Ｌ）の画像データに相当する部分と右側（Ｒ）の画像データに相当する部分とのどちらかを１ライン毎に選択してデータ伸長回路９２に出力する。
【００４６】
データ選択回路９４には、図示しないクロック生成回路が発生した、ビデオデータを形成する画素をカウントする図１０（Ｂ）に示すようなクロック信号（Clock）が入力される。また、データ選択回路９４は、Ｌ／Ｒ選択信号が左側の画像データの選択を示しているときには図１０（Ｃ）に示すようなイネーブル信号ＥＮＡＢＬＥ＿Ｌを生成し、Ｌ／Ｒ選択信号が右側の画像データの選択を示しているときには図１０（Ｄ）に示すようなイネーブル信号ＥＮＡＢＬＥ＿Ｒを生成する。図１０（Ａ）に示すビデオデータがイネーブル信号ＥＮＡＢＬＥ＿Ｌもしくはイネーブル信号ＥＮＡＢＬＥ＿Ｒのどちらかのタイミングで抽出されることにより、左側の画像データと右側の画像データとのどちらか一方が選択されて出力される。
【００４７】
データ伸長回路９２は、こうしてデータ選択回路９４から与えられたビデオデータを横方向に２倍に伸長してＳＥＬ９０に与える。このように、ＳＥＬ９０には、ＭＰＥＧ−Ｖデコーダ５８から出力されたそのままのビデオデータ（入力Ａ）と、左側もしくは右側の画像データが抽出されてかつ伸長されたビデオデータ（入力Ｂ）とが入力される。通常時（単一ファイルの再生時）にはＳＥＬ９０は、出力Ａのビデオデータを選択して出力する。しかし、複合ファイルのビデオデータの再生の際には、ＣＰＵ８４から2ch選択信号がＳＥＬ９０に入力され、ＳＥＬ９０は2ch選択信号に応じて出力Ｂのビデオデータを出力する。
【００４８】
入力Ａもしくは入力Ｂのビデオデータは、ビデオプロセサ６４によってＮＴＳＣエンコーダ６６およびＳＥＬ２４に与えられる。
【００４９】
ＮＴＳＣエンコーダ６６に与えられたビデオデータは、コンポジットビデオ信号に変換され、変換されたコンポジットビデオ信号は映像モニタ６８に出力される。この結果、複合ファイルとして記録されていた２つの番組映像のうちの一方の番組映像（この例では番組Ｂ（記録映画））が映像モニタ６８に表示される。
【００５０】
ＭＰＥＧ−Ａデコーダ６２は、非パケット化回路６０から与えられたオーディオＥＳをデコードして第１放送チャネルの番組（番組Ｂ（記録映画））に対応するＬチャネルのオーディオデータと第２放送チャネルの番組（番組Ｃ（サッカーワールドカップ））に対応するＲチャネルのオーディオデータとを生成する。生成されたこれらのオーディオデータは、オーディオプロセサ７０に与えられる。オーディオプロセサ７０は、与えられたＬチャネルのオーディオデータとＲチャネルのオーディオデータのうち再生が指定されていないＲチャネル（番組Ｃ（サッカーワールドカップ））のオーディオデータをカットし、Ｌチャネル（番組Ｂ（記録映画））のオーディオデータを出力するとともに、Ｌチャネルのオーディオデータと同じ内容のデータをＲチャネルのオーディオデータとして出力する。
【００５１】
オーディオプロセサ７０は、具体的には図１１に示すように４つのＳＥＬ１００、１０２、１０４および１０６から構成されている。ＳＥＬ１０２には、ＬチャネルのオーディオデータとＳＥＬ１００からの出力が入力され、ＳＥＬ１０６には、ＲチャネルのオーディオデータとＳＥＬ１０４からの出力が入力される。そして、通常時（単一ファイルの再生時）には、ＳＥＬ１０２はＬチャネルのオーディオデータを選択し、ＳＥＬ１０６はＲチャネルのオーディオデータを選択する。
【００５２】
一方、複合ファイルの番組を再生する際には、ＣＰＵ８４から2ch選択信号がＳＥＬ１０２およびＳＥＬ１０６にそれぞれ与えられ、この2ch選択信号に応じてＳＥＬ１０２はＳＥＬ１００からの入力を選択して出力し、ＳＥＬ１０６はＳＥＬ１０６からの入力を選択して出力する。
【００５３】
ＳＥＬ１００およびＳＥＬ１０４にはＬチャネルのオーディオデータおよびＲチャネルのオーディオデータの両方が入力される。また、ＳＥＬ１００およびＳＥＬ１０４にはＬ／Ｒ選択信号がＣＰＵ８４から与えられる。複合ファイルの左側の番組を再生するときには、Ｌ／Ｒ選択信号はＬチャネルのオーディオデータの選択を促がす信号となり、複合ファイルの右側の番組を再生するときには、Ｌ／Ｒ選択信号はＲチャネルのオーディオデータの選択を促がす信号となる。したがって、複合ファイルの左側の番組を再生するときには、ＳＥＬ１０２およびＳＥＬ１０６からはともにＬチャネルのオーディオデータが出力され、複合ファイルの右側の番組を再生するときには、ＳＥＬ１０２およびＳＥＬ１０６からはともにＲチャネルのオーディオデータが出力される。
【００５４】
ＳＥＬ１０２からの出力はＤ／Ａ変換器７２に与えられ、ＳＥＬ１０６からの出力はＤ／Ａ変換器７４に与えられる。そして、Ｄ／Ａ変換器７２によって変換されたオーディオデータはスピーカ７６に与えられ、Ｄ／Ａ変換器７４によって変換されたオーディオデータはスピーカ７８に与えられる。
【００５５】
こうして、番組Ｂ（記録映画）のモノラル音声がスピーカ７６およびスピーカ７８から出力される。なお、以上の説明から分かるように通常再生（単一ファイルの再生）の場合には、スピーカ７６からＬチャネルの音声が出力され、スピーカ７８からＲチャネルの音声が出力される。
【００５６】
なお、ビデオデータはビデオプロセサ６４によってＳＥＬ２４にも与えられ、番組Ｂ（記録映画）のように複合ファイルとして記録されている番組を再生するときには、ＣＰＵ８４からの制御信号に応じて、ＳＥＬ２４はビデオプロセサ６４によって与えられたビデオデータを出力として選択する。
【００５７】
こうしてＳＥＬ２４によって出力されたビデオデータは、上述したように、ＭＰＥＧ−Ｖエンコーダ２６およびパケット化回路２８を介してマルチプレクサ４４に与えられる。
【００５８】
また、オーディオプロセサ７０からの出力はＳＥＬ３８にも与えられており、番組Ｂ（記録映画）のように複合ファイルとして記録されている番組を再生するときには、ＣＰＵ８４からの制御信号に応じて、ＳＥＬ３８はオーディオプロセサ７０によって与えられたビデオデータを出力として選択する。
【００５９】
こうしてＳＥＬ３８によって出力されたＬチャネルのオーディオデータおよびＲチャネルのオーディオデータ（内容はＬチャネルおよびＲチャネルともに同じ）は、上述したように、ＭＰＥＧ−Ａエンコーダ４０およびパケット化回路４２を介してマルチプレクサ４４に与えられる。
【００６０】
このように、マルチプレクサ４４に与えられたビデオデータ（ビデオＰＥＳ）およびオーディオデータ（オーディオＰＥＳ）は、マルチプレクサ４４によって多重されてＭＰＥＧ−ＰＳとなり、ＭＰＥＧバッファ４６を介してＨＤＤ４８に与えられる。そして、ＨＤＤ４８に与えられたＭＰＥＧ−ＰＳはＨＤＤ４８によってハードディスク５０に記録される。
【００６１】
このように、複合ファイルとして記録されている番組を再生する場合には、その番組の伸長されたビデオデータおよびオーディオデータが複合ファイルとは別の単一ファイルとしてハードディスク５０に記録される。
【００６２】
複合ファイルの再生が終了すると、ハードディスク５０への書き込みも終了する。そして、ハードディスク５０への書き込みが終了すると、File Entry、および番組管理テーブルを更新する。ハードディスク５０に書き込まれたのは、複合ファイルに記録されていた左側（第１放送チャネル）の番組と右側（第２放送チャネル）の番組のうちの左側の番組（番組Ｂ（記録映画））なので、図５（Ａ）に示すようにFile Entry(Ｌ)を更新する。図５（Ａ）に示すように、番組Ｂ（記録映画）のファイルは単一ファイルとなったので、IUA[０]を“02h”から“00h”に変更する。また、ファイルのハードディスク５０上の記録開始位置を示すExtent Locationの値を新しく作成された単一ファイルの記録開始位置に変更する。図５（Ａ）の例では、ファイルの開始位置は“00002000h”（図４（Ｂ）参照）から“00005000h”に変更されている。
【００６３】
番組管理テーブルは図６に示す内容から図７に示す内容に変更される。図６および図７に示すように、番組Ｂの項目は、1chと2chとの種別が1chとなり、Ｌ側とＲ側との種別が“−”となる。そして、ファイルの開始位置が“00005000h”に変更される。
【００６４】
このようにFile Entryおよび番組管理テーブルは更新されるが、図８に示したユーザ用メニューの内容は変更されない。しかし、ユーザがユーザ用メニューに基づいて再び番組Ｂを再生する操作をすると、更新されたFile Entry（Ｌ）が参照されるので、ハードディスク５０の開始位置“00002000h”から記録されている複合ファイルではなく、開始位置“00005000h”から記録されている単一ファイルが再生される。
【００６５】
ここで、番組Ｂの番組の再生が行われた後に、番組Ｃの番組の再生が行われると、番組Ｂの番組のときと同様の処理が行われ、番組Ｃの番組についても伸長されたビデオデータおよびオーディオデータがハードディスク５０に書き込まれる。そして、File Entry（Ｒ）および番組管理テーブルの更新が行われる。このとき、File Entry（Ｒ）は図５（Ｂ）に示したように、IUA[０]が“00h”となり、Extent Locationがたとえば“00006000h”となる。このようになると、ハードディスク５０上の開始位置“00002000h”からの場所には、番組Ｂおよび番組Ｃの番組が記録された複合ファイルが存在するが、File Entry（Ｌ）は開始位置“00005000h”からの単一ファイルを番組データとして参照し、File Entry（Ｒ）は開始位置“00006000h”からの単一ファイルを番組データとして参照するので、システム上、開始位置“00002000h”から記録されている複合ファイルは存在しないものとして扱われる。なお、開始位置“00002000h”から記録されている複合ファイルを磁気的に消去するようにしてもよい。
【００６６】
これらの動作はＣＰＵ８４によって制御されるが、ＣＰＵ８４はフラッシュメモリ８２に記録されているプログラムを実行することによってこれらの動作を制御する。
【００６７】
以下に、図１２から図１６に示すフロー図を用いてＣＰＵ８４の動作を説明する。ユーザが操作パネル８０を操作して通常録画（第１放送チャネルの番組の録画）の操作をすると、ＣＰＵ８４は、図１２のステップＳ１において、録画操作が行われたと判断する。そして、ステップＳ３では、これからファイルの書き込みを開始するハードディスク５０上の書き込み開始位置“Ｓ”を取得して図示しないＣＰＵ８４の内部メモリに記録する。
【００６８】
ステップＳ５では、同時録画（第１放送チャネルの番組と第２放送チャネルの番組との同時録画）であるかどうかを判断する。通常録画であるので、ステップＳ５からステップＳ２１に進む。ステップＳ２１では、ＳＥＬ２４にＮＴＳＣデコーダ１６の選択を指示する。次のステップＳ３８ではＳＥＬ３８にＡ／Ｄ変換器３０および３２の選択を指示する。そして、ステップＳ２５においてビデオデータおよびオーディオデータのハードディスク５０への書き込み開始をＨＤＤ４８に命令する。これによって、アナログ受信機１２から出力される第１放送チャネルの番組のビデオデータおよびオーディオデータがハードディスク５０に記録される。ステップＳ２５では録画の終了であるかどうかを判断する。この録画の終了には、ユーザの操作パネル８０の操作による強制的な終了と、予約録画の場合のようにタイマーによる終了とがある。
【００６９】
ステップＳ２７において録画の終了であると判断すると、ステップＳ２９において書き込み停止をＨＤＤ４８に命令する。ステップＳ３１ではFile Entryを作成する。ここで作成されるFile Entryは、IUA[０]が“00h”であり、開始位置を示すExtent Locationの値はステップＳ３において取得した“Ｓ”である。そして、図１３のステップＳ３３において、作成されたFile Entryをハードディスク５０に記録する。
【００７０】
ステップＳ３５では作成したFile EntryおよびＥＰＧ（Electric Program Guide）に基づいて番組管理テーブルを更新し、ステップＳ３７ではユーザ用メニューを更新する。
【００７１】
ユーザが操作パネル８０から操作して同時録画（第１放送チャネルの番組と第２放送チャネルの番組との同時録画）の操作をすると、ＣＰＵ８４は、図１２のステップＳ１において、録画操作が行われたと判断する。そして、ステップＳ３では、これからファイルの書き込みを開始するハードディスク５０上の書き込み開始位置“Ｓ”を取得してＣＰＵ８４の内部メモリに記録する。
【００７２】
ステップＳ５では、同時録画であるかどうかを判断する。同時録画なので、ステップＳ５からステップＳ７に進む。ステップＳ７では、ＳＥＬ２４にミキサ２２の選択を指示する。次のステップＳ９ではＳＥＬ３８にＡ／Ｄ変換器３０および３４の選択を指示する。そして、ステップＳ１１においてビデオデータおよびオーディオデータのハードディスク５０への書き込み開始をＨＤＤ４８に命令する。これによって、第１放送チャネルの番組と第２放送チャネルの番組とが１つのＭＰＥＧファイルとしてハードディスク５０に記録される。ステップＳ１３では録画の終了であるかどうかを判断する。この録画の終了には、ユーザの操作パネル８０の操作による強制的な終了と、予約録画の場合のようにタイマーによる終了とがある。
【００７３】
ステップＳ２７において録画の終了であると判断すると、ステップＳ１５において書き込み停止をＨＤＤ４８に命令する。ステップＳ１７およびステップＳ１９では第１放送チャネルの番組用のFile Entry（Ｌ）と第２放送チャネルの番組用のFile Entry（Ｒ）とを作成する。ステップＳ１７で作成されるFile Entry（Ｌ）は、IUA[０]が“02h”でExtent Locationが“Ｓ”であり、ステップＳ１９で作成されるFile Entry（Ｒ）は、IUA[０]が“03h”でExtent Locationが“Ｓ”である。
【００７４】
図１３のステップＳ３３では、ステップＳ１７およびステップＳ１９において作成したFile Entry（Ｌ）およびFile Entry（Ｒ）をハードディスク５０に書き込む。そして、ステップＳ３５ではFile Entry（Ｌ）およびFile Entry（Ｒ）とＥＰＧに基づいて番組管理テーブルの更新を行い、ステップＳ３７においてユーザ用メニューを更新する。
【００７５】
ユーザが操作パネル８０から操作してファイルの再生の操作をすると、ＣＰＵ８４は、図１４のステップＳ４１において、再生操作が行われたと判断し、ステップＳ４３において、図８に示したようなユーザ用メニューを表示する。ユーザはこのユーザ用メニューを参照しながら操作パネル８０から操作して再生する番組を選択する。すると、ステップＳ４５において、番組が選択されたと判断し、ステップＳ４７において、選択された番組のデータが同時録画ファイル（複合ファイル）として記録されているかどうかどうかを番組管理テーブルを参照して判断する。
【００７６】
選択された番組が通常録画ファイル（単一ファイル）として記録されている場合には、ステップＳ４７からステップＳ４９に進む。ステップＳ４９では、ＭＰＥＧ−Ｖデコーダ５８からの入力をそのまま出力とするようにビデオプロセサ６４を設定する。また、ステップＳ５１ではＭＰＥＧ−Ａデコーダ６２からの入力をそのまま出力とするようにオーディオプロセサ７０を設定する。
【００７７】
そして、ステップＳ５３では、選択された番組のファイルの再生の開始を命令する。これによって、選択した番組の映像がモニタ６８に表示され、ステレオ音声がスピーカ７６および７８から出力される。ステップＳ５５では、再生が終了したかどうかを判断し、再生が終了したと判断した場合には、ステップＳ５７において再生の停止を命令する。こにより、番組の再生が終了する。
【００７８】
一方、ユーザが再生を指定した番組が同時録画ファイル（複合ファイル）として記録されている場合には、図１５のステップＳ６１において、ハードディスク５０への書き込み開始位置“Ｓ”を取得する。これは、再生と同時に記録もするためである。そして、ステップＳ６３では、選択された番組は複合ファイルの左側（第１放送チャネル）および右側（第２放送チャネル）のうちの左側であるかどうかを判断する。
【００７９】
左側であると判断する場合には、ステップＳ６５において当該番組に対応するFile Entry（Ｌ）のハードディスク５０上の位置をポインタＰでポイントしておく。そして、ステップＳ６７では、ＭＰＥＧ−Ｖデコーダ５８の出力のうちの左側の映像に相当する部分を出力するようにビデオプロセサ６４を設定する。また、ステップＳ６９では、ＭＰＥＧ−Ａデコーダ６２から出力されるＬチャネルのオーディオデータとＲチャネルのオーディオデータのうちのＬチャネルのオーディオデータを出力するようにオーディオプロセサ７０を設定する。
【００８０】
一方、ステップＳ６３において左側でない、つまり右側（第２放送チャネル）であると判断する場合には、ステップＳ８１において当該番組に対応するFile Entry（Ｒ）のハードディスク５０上の位置をポインタＰでポイントしておく。そして、ステップＳ８３では、ＭＰＥＧ−Ｖデコーダ５８の出力のうちの右側の映像に相当する部分を出力するようにビデオプロセサ６４を設定する。また、ステップＳ８５では、ＭＰＥＧ−Ａデコーダ６２から出力されるＬチャネルのオーディオデータとＲチャネルのオーディオデータのうちのＲチャネルのオーディオデータを出力するようにオーディオプロセサ７０を設定する。
【００８１】
ステップＳ７１では、セレクタ２４にビデオプロセサ６４を選択させる。ステップＳ７３では、セレクタ３８にオーディオプロセサ７０を選択させる。このことによって、ビデオプロセサ６４の出力（ビデオデータ）およびオーディオプロセサ７０の出力（オーディオデータ）がフィードバックされ、ビデオプロセサ６４の出力およびオーディオプロセサ７０の出力をハードディスク５０に書き込むことができる。
【００８２】
このような状態で、ステップＳ７５において再生の開始命令を行い、ステップＳ７７において書き込みの開始を命令することによって、複合ファイルに含まれる２つの番組のうちの一方の再生が行われるとともに、再生内容が単一ファイルとしてハードディスク５０に記録される。
【００８３】
ステップＳ７９では、複合ファイルの再生が終了したかどうかを判断する。なお、この再生の終了には、番組を最後まで再生して終了する場合と、ユーザの操作パネル８０からの操作による強制終了とがある。ステップＳ７９において、再生が終了したと判断された場合には、ステップＳ８７において再生の停止命令を行って番組の再生を停止し、ステップＳ８９において書き込みの停止命令を行ってハードディスク５０への書き込みを停止する。
【００８４】
ステップＳ９１では、ファイルの再生の停止が、ファイルが最後まで再生されたうえで行われたか否かを判断する。これは、ファイルが最後まで再生された場合にはハードディスク５０への書き込み（単一ファイルの作成）を有効とし、途中で再生が停止された場合にはハードディスク５０への書き込みを無効とするためである。これによって、番組の内容が途中で中断された単一ファイルが作成されることを防止する。
【００８５】
ステップＳ９１において、ファイルの再生が途中で停止されたと判断するときには、そのまま処理を終了する。一方、ファイルの再生が最後まで行われたと判断するときには、ステップＳ９３において、ポインタＰによってポイントしているFile Entryを更新する。この更新は、IUA[０]を“00h”とし、Extent Locationを“Ｓ”とすることによって行われる。こうすることによって、File Entryに対応するファイルが複合ファイルから新しく生成された単一ファイルに切り換わる。
【００８６】
ステップＳ９５では、File Entryの更新に基づいて番組管理テーブルを更新する。この更新によって、再生された番組の番組管理テーブルの項目の1chと2chとの種別が1chとなり、Ｌ側とＲ側との種別が“−”となり、ファイルの開始位置が“Ｓ”となる。
【００８７】
以上に説明したように、この発明のハードディスクビデオレコーダ１０では、ファイルはランダムアクセス可能で再生と同時に記録が可能なハードディスク５０に記録されるので、複合ファイルを再生し、再生した信号から所定の番組の信号を抽出して抽出した信号を再び記録することによって複合ファイルに含まれる所定の番組を容易に単一ファイルとすることができる。そして、単一ファイルとなった番組は他の記録媒体、たとえばＤＶＤなどにコピーすることによって他の一般的な再生装置でも再生することができるようになる。
【００８８】
また、この発明のハードディスクビデオレコーダ１０では、１つのＭＰＥＧファイルに記録された２つの番組を２つの番組にそれぞれ対応した２つのFile Entryを用いて個々に管理することができる。したがって、ユーザは２つの番組が１つのＭＰＥＧファイルに納められていることを意識することなく２つの番組のデータをそれぞれ別々に操作することができるので、ユーザの使い勝手も向上する。
【００８９】
なお、上述した実施例は形態を種々に変更することができる。たとえば、上述の例では、複合ファイルとして記録されている番組のデータは、複合ファイルが再生されるとき（ユーザが番組を視聴するとき）に、再生と同時に単一ファイル化されるが、複合ファイルの再生時以外であっても、ユーザの操作に応じて単一ファイル化できるようにしてもよい。
【００９０】
また、複合ファイルに含まれる２つの番組の両方が単一ファイル化された場合に、複合ファイルのデータはシステム上無視されることとしたが、この場合には磁気的に複合ファイルのデータを消去するようにしてもよい。
【００９１】
さらに、上述の例では、記録媒体をハードディスク５０としたが、これに代えて半導体メモリを利用してもよい。
【図面の簡単な説明】
【００９２】
【図１】この発明の一実施例の構成を示すグロック図である。
【図２】図１の実施例において出力される映像の例を示す図解図である。
【図３】図１の実施例において作成されるFile Entryの構成を示す図解図である。
【図４】図１の実施例において作成されるFile Entryの例を示す図解図である。
【図５】図１の実施例において作成されるFile Entryの例を示す図解図である。
【図６】図１の実施例において作成される番組管理テーブルの例を示す図解図である。
【図７】図１の実施例において作成される番組管理テーブルの例を示す図解図である。
【図８】図１の実施例において作成されるユーザ用メニューの例を示す図解図である。
【図９】図１の実施例に含まれるビデオプロセサの構成例を示すブロック図である。
【図１０】ビデオプロセサで処理される信号を示す図解図である。
【図１１】図１の実施例に含まれるオーディオプロセサの構成例を示すブロック図である。
【図１２】図１の実施例におけるＣＰＵの動作の一部を示すフロー図である。
【図１３】図１２に続くフロー図である。
【図１４】図１３とは別のルートで図１２に続くフロー図である。
【図１５】図１４に続くフロー図である。
【図１６】図１５に続くフロー図である。
【符号の説明】
【００９３】
１０  …ハードディスクビデオレコーダ
１２，１４  …アナログ受信機
２０  …ＭＰＥＧ処理用ＬＳＩ
４８  …ＨＤＤ
５０  …ハードディスク
６４  …ビデオプロセサ
７０  …オーディオプロセサ
８４  …ＣＰＵ
【図１】
2005033576.tif 000003
【図２】
2005033576.tif 000004
【図３】
2005033576.tif 000005
【図４】
2005033576.tif 000006
【図５】
2005033576.tif 000007
【図６】
2005033576.tif 000008
【図７】
2005033576.tif 000009
【図８】
2005033576.tif 000010
【図９】
2005033576.tif 000011
【図１０】
2005033576.tif 000012
【図１１】
2005033576.tif 000013
【図１２】
2005033576.tif 000014
【図１３】
2005033576.tif 000015
【図１４】
2005033576.tif 000016
【図１５】
2005033576.tif 000017
【図１６】
2005033576.tif 000018